(57)【要約】【課題】蛇口の取り付け取り外しが容易であって、取り付けにともなうパッキンの外側へのはみ出しを容易に抑制し、十分な水密性を確保するとともに、パッキンの経時的な劣化を十分抑制して水密性の低下を抑える。【解決手段】ワッシャ３０は、リング状のワッシャ本体３１と、ワッシャ本体３１の外周縁から第１のパッキン２４側に突出する第１のガイド片３２と、ワッシャ本体３１の外周縁から第２のパッキン２５側へ突出する第２のガイド片３３と、第１のガイド片３２または第２のガイド片３３の外周面から外方に延設され、ねじ込み式管継手１０の締付部１４を覆うカバー部３４とを備え、蛇口１における接続継手３の雄ねじ７とねじ込み式管継手１０における接続部１１の雌ねじ１２との螺合により、第１のガイド片３２の側周端が締付部１４に当接し、第１のガイド片３２、ワッシャ本体３１および締付部１４により取り囲まれる第１の領域内で第１のパッキン２４が圧縮され、必要とされる水密性が付与される。【選択図】図１
2011026897.tif 000002
【特許請求の範囲】
【請求項１】
蛇口本体から後方に延設された接続継手の長さ方向の途中に、外側に突出するリング状のフランジが設けられ、フランジから先端までの接続継手の外周面に雄ねじが設けられた蛇口と、内周面に雌ねじが形成され外周面に雄ねじが形成された管状の接続部を有し、その接続部の蛇口接続側端部周縁に、外方に突出する多角形の外形形状を有する締付部が形成されているねじ込み式管継手との接続が、前記蛇口における接続継手の外周面の雄ねじを前記ねじ込み式管継手における接続部の内周面の雌ねじに螺合させることにより行われ、前記蛇口本体の接続継手のフランジとねじ込み式管継手の締付部との間にワッシャが介設され、また、ワッシャとねじ頭部の間に第１のパッキンが介設され、フランジとワッシャとの間に第２のパッキンが介設される蛇口の止水構造であって、
ワッシャは、リング状のワッシャ本体と、水密性付与のために必要とされる第１のパッキンの圧縮厚み分ワッシャ本体の外周縁から第１のパッキン側に突出する、短尺筒状の第１のガイド片と、ワッシャ本体の外周縁から第２のパッキン側へ突出する、短尺筒状の第２のガイド片と、第１のガイド片または第２のガイド片の外周面から外方に延設され、ねじ込み式管継手の締付部の側面及び蛇口接続側端面を覆う筒状のカバー部とを備え、
蛇口における接続継手の外周面の雄ねじとねじ込み式管継手における接続部の内周面の雌ねじとの螺合により、第１のガイド片の側周端がねじ込み式管継手の締付部に当接し、第１のガイド片、ワッシャ本体およびねじ込み式管継手の締付部により取り囲まれる第１の領域内で第１のパッキンが圧縮され、必要とされる水密性が付与されることを特徴とする蛇口の止水構造。
【請求項２】
第２のガイド片は、水密性の確保のために必要とされる第２のパッキンの圧縮厚み分突出し、蛇口における接続継手の外周面の雄ねじとねじ込み式管継手における接続部の内周面の雌ねじとの螺合により、第２のガイド片が、接続継手のフランジの外側に配置され、少なくとも部分的にフランジと重なり合い、第２のガイド片、ワッシャ本体およびフランジにより取り囲まれる第２の領域内で第２のパッキンが圧縮され、必要とされる水密性が確保されることを特徴とする請求項１に記載の蛇口の止水構造。
【発明の詳細な説明】
【技術分野】
【０００１】
本発明は、屋外に設置される給水装置などの蛇口における漏水を抑制するための止水構造に関する。
【背景技術】
【０００２】
雨樋から排水される雨水を、草花や庭木などへの散水や洗車などに利用することが行われている。このような雨水の利用は、節水を可能にし、環境の保護などへ貢献している。
【０００３】
本出願人は、たとえば図５に示したような雨水利用システム４１をこれまでに提供している。
【０００４】
雨水利用システム４１では、竪樋４２により形成される排水路の途中に雨水取出し装置４３が接続され、フィルターなどを内蔵して備える雨水取出し部４４に、給水用ホース４５を介して雨水貯留タンク４６が接続されている。竪樋４２を流れる雨水は、その一部が、雨水取出し装置４３の雨水取出し部４４から取り出され、給水用ホース４５を通じて雨水貯留タンク４６に一定量貯留される。貯留された雨水は、雨水貯留タンク４６の下部に備える蛇口４７を開けることにより取り出すことができ、散水、洗車などに利用される。また、雨水貯留タンク４６には、その上端部にオーバーフロー用ホース４８の一端部が接続され、雨水貯留タンク４６の容量を超える雨水が雨水貯留タンク４６に供給されるとき、余剰分の雨水を、オーバーフロー用ホース４８を通じて地面に向けて排出する。
蛇口４７は、図６に示したように、蛇口本体４９と、蛇口本体４９の上部から後方に向かって略垂直に延びる接続継手５０とを備えたものであり、接続継手５０の長さ方向の途中には、外側に突出する円形リング状のフランジ５１が設けられている。また、接続継手５０では、フランジ５１の後方から先端までの外周にねじが切られ、ねじ部５２が設けられている。このような蛇口４７は、雨水貯留タンク４６の筐体部分５３の前面下部に穿設された透孔５４に、接続継手５０をねじ部５２の先端から挿入し、ナット５５をねじ部５２にその先端から螺合させ、フランジ５１とナット５５の間に筐体部分５３を挟みこむことによって、雨水貯留タンク４６に取り付けられる。また、透孔５４からの漏水を防ぐために、フランジ５１と筐体部分５３の間に円形リング状のパッキン５６が介設される。ナット５５の締付けによって、パッキン５６は圧縮されて変形し、水密性を確保するようにしている。
【０００５】
しかしながら、パッキン５６による蛇口４７の上記止水構造では、ナット５５を過度に締め付けると、パッキン５６が圧縮変形によりフランジ５１の外側にはみ出てしまい、水密性が大幅に低下する。このようなパッキン５６のはみ出しにともなう水密性の低下は、水密性を高めるためにはナット５５を十分に締め付ける必要があるという常識が災いしており、従来多発している。ナット５５の締付けは適度に行うことが推奨されるが、どの程度が適度とされるのか明確ではなく、人の感覚に頼らざるを得ない。また、蛇口４７取り付けのための上記のようなナット５５の締め付けは、作業者が雨水貯留タンク４６の上部に設けられた蓋を外し、内部に手を差し込んで作業を行うが、タンクの形状によってはナット５５の締め付けが必ずしも容易ではなく蛇口４７の取り付けに手間がかかる。蛇口４７の内部に砂利等が侵入して詰まりが発生した際の清掃のための蛇口４７の取り外しや損傷による蛇口４７交換も、作業者が雨水貯留タンク４６内に手を差し込みナット５５をゆるめて作業を行うため、上記と同様に手間がかかる。
【０００６】
下記特許文献１には、ねじ込みなどで結合される部材間に介在するシールリングによるシール性の改善を目的とした技術が開示されている。ここで開示されている技術は、上記パッキン５６による蛇口４７の止水構造における水密性の低下という問題に共通する課題に対してなされている。
【０００７】
すなわち、下記特許文献１には、弾性材料からなるシールリング本体と、このシールリング本体の周方向に沿ってその内部に埋設して設けられ、かつシールリング本体の両側方向に向かって突出する複数の噛込み片を有する回り止め手段とから構成されたシールリングが開示されている。このシールリングは、噛込み片がフランジ部および筐体側のパネルに噛込むことによって回り止めを実現し、この状態でシールリング本体が適切に圧縮変形し、所望のシール性、気密性を適切かつ確実に得るというものである。
【先行技術文献】
【特許文献】
【０００８】
【特許文献１】実開平５−１０６８号公報
【発明の概要】
【発明が解決しようとする課題】
【０００９】
特許文献１に記載されたシールリングは、図６に示した蛇口４７の止水構造に組み込むことができ、ナット５５の過度の締付けを解消し、シールリング本体の適切な圧縮変形によって十分な水密性が実現されると期待される。
【００１０】
しかしながら、特許文献１に記載されたシールリングは、弾性材料からなるシールリング本体の内部に回り止め手段を埋設したものであり、シールリングのコストアップが予想され、図５に示した雨水貯留タンク４６の価格に反映すると危惧される。
【００１１】
また、上記経済的な問題の他に、雨水貯留タンク４６は屋外に設置されるものであることから、弾性材料から形成されたシールリング本体は、直射日光、降雨、寒暖の差などの環境の変化を被り、経時的に劣化し、水密性が次第に低下することが懸念される。このようなシールリング本体の経時的な劣化に対して回り止め手段は、劣化を抑制するようには機能しないと考えられる。
【００１２】
本発明は、以上のとおりの事情に鑑みてなされたものであり、蛇口の取り付け取り外しが容易であって、取り付けにともなうパッキンの外側へのはみ出しを容易に抑制し、十分な水密性を確保するとともに、パッキンの経時的な劣化を十分抑制して水密性の低下を抑えることのできる、蛇口の止水構造を提供することを課題としている。
【課題を解決するための手段】
【００１３】
本発明は以下のことを特徴としている。
【００１４】
第１には、蛇口本体から後方に延設された接続継手の長さ方向の途中に、外側に突出するリング状のフランジが設けられ、フランジから先端までの接続継手の外周面に雄ねじが設けられた蛇口と、内周面に雌ねじが形成され外周面に雄ねじが形成された管状の接続部を有し、その接続部の蛇口接続側端部周縁に、外方に突出する多角形の外形形状を有する締付部が形成されているねじ込み式管継手との接続が、前記蛇口における接続継手の外周面の雄ねじを前記ねじ込み式管継手における接続部の内周面の雌ねじに螺合させることにより行われ、前記蛇口本体の接続継手のフランジとねじ込み式管継手の締付部との間にワッシャが介設され、また、ワッシャとねじ頭部の間に第１のパッキンが介設され、フランジとワッシャとの間に第２のパッキンが介設される蛇口の止水構造であって、ワッシャは、リング状のワッシャ本体と、水密性付与のために必要とされる第１のパッキンの圧縮厚み分ワッシャ本体の外周縁から第１のパッキン側に突出する、短尺筒状の第１のガイド片と、ワッシャ本体の外周縁から第２のパッキン側へ突出する、短尺筒状の第２のガイド片と、第１のガイド片または第２のガイド片の外周面から外方に延設され、ねじ込み式管継手の締付部の側面及び蛇口接続側端面を覆う筒状のカバー部とを備え、蛇口における接続継手の外周面の雄ねじとねじ込み式管継手における接続部の内周面の雌ねじとの螺合により、第１のガイド片の側周端がねじ込み式管継手の締付部に当接し、第１のガイド片、ワッシャ本体およびねじ込み式管継手の締付部により取り囲まれる第１の領域内で第１のパッキンが圧縮され、必要とされる水密性が付与される。
【００１５】
第２には、上記第１の発明において、第２のガイド片は、水密性の確保のために必要とされる第２のパッキンの圧縮厚み分突出し、蛇口における接続継手の外周面の雄ねじとねじ込み式管継手における接続部の内周面の雌ねじとの螺合により、第２のガイド片が、接続継手のフランジの外側に配置され、少なくとも部分的にフランジと重なり合い、第２のガイド片、ワッシャ本体およびフランジにより取り囲まれる第２の領域内で第２のパッキンが圧縮され、必要とされる水密性が確保される。
【発明の効果】
【００１６】
上記第１の発明によれば、蛇口における接続継手の外周面の雄ねじとねじ込み式管継手における接続部の内周面の雌ねじとの螺合により蛇口がねじ込み式管継手に接続されるので、蛇口の取り付け取り外しが容易である。
【００１７】
ワッシャは、リング状のワッシャ本体と、水密性付与のために必要とされる第１のパッキンの圧縮厚み分ワッシャ本体の外周縁から第１のパッキン側に突出する、短尺筒状の第１のガイド片と、ワッシャ本体の外周縁から第２のパッキン側へ突出する、短尺筒状の第２のガイド片と、第１のガイド片または第２のガイド片の外周面から外方に延設され、ねじ込み式管継手の締付部の側面及び蛇口接続側端面を覆う筒状のカバー部とを備えている。蛇口における接続継手の外周面の雄ねじとねじ込み式管継手における接続部の内周面の雌ねじとの螺合により、第１のガイド片の側周端がねじ込み式管継手の締付部に当接し、第１のガイド片、ワッシャ本体およびねじ込み式管継手の締付部により取り囲まれる第１の領域内で第１のパッキンが圧縮され、必要とされる水密性が付与される。
【００１８】
圧縮にともない外側に膨出しようとする第１のパッキンは、第１のガイド片によって移動が規制され、第１の領域の外側にはみ出ることはない。また、第１のガイド片の側周端がねじ込み式管継手の締付部に当接しているので、蛇口の接続継手をねじ込み式管継手にさらにねじ込むことはできない。したがって、第１のパッキンは、水密性付与に適した分だけ圧縮され、フランジの外側にはみ出ることはなく、水密性の低下をきたすことはない。しかも、蛇口の取り付けは、人の感覚に頼ることはなく、締付け不能となることによって、熟練を要さずに確実かつ容易に一定の精度で行うことができる。
【００１９】
また、第２のパッキンは、第２のガイド片、ワッシャ本体およびフランジにより取り囲まれる第２の領域内で圧縮され、必要とされる水密性が確保される。
【００２０】
圧縮にともない外側に膨出しようとする第２のパッキンの移動は、第２のガイド片によって規制され、第２のパッキンも第２の領域の外側へのはみ出しが規制される。第２のパッキンは、水密性確保に適した分だけ圧縮され、水密性の低下をきたすことはない。
【００２１】
以上のような水密性の確保は、第１のガイド片と第２のガイド片を備えたワッシャによって実現され、コストアップが十分抑制される。雨水貯留タンクなどの屋外に設置される給水装置などの価格高騰を抑えることができる。
【００２２】
そして、第１のパッキンと第２のパッキンは、直射日光、降雨、寒暖の差などの環境の変化を被ることはほとんどなく、経時的な劣化が十分抑制され、水密性の低下が抑えられる。
【００２３】
また、蛇口がねじ込み式管継手に取り付けられると、締付部の周囲がワッシャのカバー部で覆われるので、締付部が保護されるとともに意匠性が高められ、良好な外観が実現される。さらにこのカバー部は、第１のガイド片や第２のガイド片の外側に配置されて少なくとも第１のパッキンの周囲を覆うため、第１のガイド片による効果と相俟って、直射日光、降雨、寒暖の差などの環境の変化による第１のパッキンの経時的な劣化が効果的に抑制される。
【００２４】
上記第２の発明によれば、第２のガイド片は、水密性確保のために必要とされる第２のパッキンの圧縮厚み分突出している。蛇口における接続継手の外周面の雄ねじとねじ込み式管継手における接続部の内周面の雌ねじとの螺合により、第２のガイド片が、フランジの外側に配置され、少なくとも部分的にフランジと重なり合うので、第２のガイド片、ワッシャ本体およびフランジにより取り囲まれる第２の領域内で第２のパッキンがより確実に圧縮され、必要とされる水密性が確保される。
【００２５】
圧縮にともない外側に膨出しようとする第２のパッキンの移動は、第２のガイド片によって規制され、第２のパッキンも第２の領域の外側にはみ出ることはない。第２のパッキンは、水密性確保に適した分だけ圧縮され、フランジの外側にはみ出ることはなく、水密性の低下をきたすことはない。
【図面の簡単な説明】
【００２６】
【図１】本発明の蛇口の止水構造の一実施形態を示した分解斜視図である。
【図２】図１に示した蛇口の止水構造の断面図である。
【図３】＜ａ＞＜ｂ＞は、図２に示した蛇口の止水構造を拡大して示した要部断面図であり、＜ａ＞は、蛇口が最終的に取り付けられる前の状態であって、第１のパッキンおよび第２のパッキンが圧縮される前の状態を示し、＜ｂ＞は、蛇口が最終的に取り付けられた後の状態であって、第１のパッキンおよび第２のパッキンが圧縮されている状態を示している。
【図４】図１に示した蛇口の止水構造におけるワッシャの別の実施形態を示した断面図である。
【図５】本出願人が提供している雨水利用システムを例示した斜視図である。
【図６】図５に示した雨水貯留タンクに取り付けられる蛇口の止水構造を示した要部断面図である。
【発明を実施するための形態】
【００２７】
上記のとおり、図１は、本発明の蛇口の止水構造の一実施形態を示した分解斜視図であり、図２は、図１に示した蛇口の止水構造の断面図である。
【００２８】
本実施形態の蛇口の止水構造は、図５に示した雨水利用システム４１に用いられる雨水貯留タンク４６の蛇口４７に適用されるものとして例示されている。
【００２９】
蛇口１は、蛇口本体２と、蛇口本体２の上部から後方に向かって略垂直に延設された接続継手３とから構成されている。蛇口本体２には、頂部に水平面内を回動自在とされたレバー４を備え、レバー４の回動によって蛇口１が開閉するようになっている。レバー４の回動操作により蛇口１が開けられたとき、雨水貯留タンク４６内に貯留された雨水は、蛇口本体２の下端の吐出口５から吐出され、また、蛇口１が閉められたとき、雨水の吐出が停止される。
【００３０】
接続継手３は、管状であり、蛇口本体２に連通している。そして、その長さ方向の途中のやや先端側の部分に、外側に突出する円形リング状のフランジ６が設けられており、フランジ６から先端までの接続継手３の外周面には、雄ねじ７が設けられている。このような蛇口１は、蛇口本体２および接続継手３ともに樹脂製とされ、雨水貯留タンク４６の筐体部分５３にねじ込み式管継手１０を介して取り付けられる。
【００３１】
ねじ込み式管継手１０は、内周面に雌ねじ１２が形成され、外周面に雄ねじ１３が形成された管状の接続部１１と、その接続部１１の蛇口接続側端部周縁に外方に突出する、６角形の外形形状を有する締付部１４とから構成されている。このようなねじ込み式管継手１０は、接続部１１および締付部１４ともに樹脂製とされ一体に形成されており、雨水貯留タンク４６の筐体部分５３に取り付けられる。
【００３２】
ねじ込み式管継手１０を取り付ける取付け側の部分である、雨水貯留タンク４６の筐体部分５３の前面下部には、透孔２０が穿設されている。また、透孔２０の周縁には、内周面に雌ねじ２２が形成された内筒部２１が筐体部分５３の内側に向かって突設されている。
【００３３】
ねじ込み式管継手１０は、接続部１１の外周面の雄ねじ１３を透孔２０の周縁の内筒部２１の内周面の雌ねじ２２に螺合させることにより、雨水貯留タンク４６に取り付けられる。この取り付けは、例えば、６角スパナや６角ソケットレンチなどの工具を用いて締付部１４を回転させ、透孔２０に接続部１１をねじ込むようにしてもよい。また、ねじ込み式管継手１０の取り付けに当たって、締付部１４と雨水貯留タンク４６の筐体部分５３との間に、パッキン２３が介設される。このパッキン２３は、合成樹脂、ゴムなどから形成された、弾性を有する平パッキンであり、円形リング状に成形され、その内径は、接続部１１の外径より若干大きくされている。このようなパッキン２３は、接続部１１の外周外側に配置され、厚み方向に圧縮変形可能とされている。パッキン２３が当接する筐体部分５３と締付部１４の後面１６は平坦面とされ、また、締付部１４の後面１６の面積は、パッキン２３の締付部側の面積より大きくされ、パッキン２３と十分に接触可能としている。ねじ込み式管継手１０の接続部１１がねじ込まれると、パッキン２３は圧縮されて変形し、水密性が確保される。
【００３４】
なお、以上の実施形態では、ねじ込み式管継手１０は、接続部１１の外周面の雄ねじ１３を透孔２０周縁の内筒部２１の内周面の雌ねじ２２に螺合させることにより雨水貯留タンク４６に取り付けられるが、これに限定されない。例えば、ねじ込み式管継手の接続部を先端から透孔に挿入し、ナットを接続部にその先端から螺合させ、締付部とナットとの間に筐体部分を挟みこむことによって、ねじ込み式管継手が雨水貯留タンクに取り付けられてもよい。もちろん、この場合でも、締付部と雨水貯留タンクの筐体部分との間にパッキンが介設される。
【００３５】
蛇口１は、接続継手３の先端からねじ込み式管継手１０の接続部１１の内側に挿入され、接続継手３の外周面の雄ねじ７を接続部１１の内周面の雌ねじ１２に螺合させることによりねじ込み式管継手１０に取り付けられる。
【００３６】
蛇口１の取り付けに当たって、本実施形態では、フランジ６と締付部１４の間に、第１のパッキン２４および第２のパッキン２５と、ワッシャ３０とが介設される。第１のパッキン２４および第２のパッキン２５は、ともに合成樹脂、ゴムなどから形成された、弾性を有する平パッキンであり、円形リング状に成形されている。その内径は、接続継手３における雄ねじ７の外径より若干大きくされており、第１のパッキン２４および第２のパッキン２５の内側に接続継手３の雄ねじ７を通すことができ、第１のパッキン２４および第２のパッキン２５は、接続継手３の雄ねじ７の外周外側に配置される。このような第１のパッキン２４および第２のパッキン２５は、各々、厚み方向に圧縮変形可能とされている。そして、第１のパッキン２４は、ワッシャ３０とねじ込み式管継手１０の締付部１４の間に介設され、第２のパッキン２５は、フランジ６とワッシャ３０の間に介設される。なお、締付部１４は、蛇口接続側端面１５が第１のパッキン２４との密着性を高めた平坦面とされる。第１のパッキン２４は、その締付部１４側の面積が締付部１４の蛇口接続側端面１５の面積よりも小さくなっており、締付部１４の蛇口接続側端面１５と十分に接触可能としている。
【００３７】
ワッシャ３０は、円形リング状のワッシャ本体３１を備えるとともに、ワッシャ本体３１の外周縁から、第１のパッキン２４側である後方に突出する第１のガイド片３２と、同じくワッシャ本体３１の外周縁から、第２のパッキン２５側である前方に突出する第２のガイド片３３と、第２のガイド片３３の外周面の前側端部から外方に延設されるカバー部３４とを備えている。第１のガイド片３２および第２のガイド片３３は、ともに短尺円筒状の形状を有している。カバー部３４は、長尺円筒状の形状を有し、第２のガイド片３３の外周面の前側端部から外側後方に向かって拡径する拡径筒部３５と、その拡径筒部３５からさらに後方に延び外径寸法が略一定の円筒部３６とから構成されている。この円筒部３６は、内径が締付部１４の外径よりも若干大きくされ、さらにその後側周端が、蛇口１がねじ込み式管継手１０に取り付けられた状態において、ねじ込み式管継手１０の締付部１４の後面１６よりも若干突出するか、同一平面上に配置されるように、拡径筒部３５から延設される。そして、蛇口１がねじ込み式管継手１０に取り付けられた状態において、ねじ込み式管継手１０の締付部１４の側面１７がカバー部３４の円筒部３６で覆われ、締付部１４の蛇口接続側端面１５がカバー部３４の拡径筒部３５で覆われ、カバー部３４の内側に締付部１４が配置される。
【００３８】
このような第１のガイド片３２、第２のガイド片３３並びにカバー部３４は、一体または別体として形成することができ、また、ワッシャ本体３１にも一体または別体として形成することができる。別体として形成する場合は、接着剤などを用いたり、嵌合させたりして相互を結合することができる。本実施形態では、ワッシャ３０は、一体成形品として形成されている。ワッシャ３０は、金属、合成樹脂などの適宜な材料から形成することができ、ワッシャ本体３１、第１のガイド片３２、第２のガイド片３３およびカバー部３４の間で材料を変えることなども可能である。ワッシャ３０は、その内側に接続継手３の雄ねじ７を通すことができ、接続継手３の雄ねじ７の外周外側に配置される。
【００３９】
図３＜ａ＞＜ｂ＞は、図２に示した蛇口の止水構造を拡大して示した要部断面図であり、＜ａ＞は、蛇口が最終的に取り付けられる前の状態であって、第１のパッキンおよび第２のパッキンが圧縮される前の状態を示し、＜ｂ＞は、蛇口が最終的に取り付けられた後の状態であって、第１のパッキンおよび第２のパッキンが圧縮されている状態を示している。
【００４０】
図３＜ａ＞に示したように、第１のガイド片３２の突出代は、ねじ込み式管継手１０からの漏水を防ぎ、水密性を付与するために必要とされる第１のパッキン２４の圧縮厚み分、すなわち、（ｗ１−Δｗ１）とされている。ここで、ｗ１は、圧縮前の第１のパッキン２４の厚みを示し、Δｗ１は、蛇口１の取り付けにより圧縮された厚みを示している。つまり、（ｗ１−Δｗ１）は、圧縮された第１のパッキン２４の厚みであり、水密性の付与に必要とされる厚みである。なお、「水密性の付与」とは、第１のパッキン２４の介設によりねじ込み式管継手１０からの漏水が抑制され、少なくとも必要最低限の水密性が付与されることを意味している。
【００４１】
第２のガイド片３３の突出代は、水密性の確保のために必要とされる第２のパッキン２５の圧縮厚み分、すなわち、（ｗ２−Δｗ２）とされている。ここで、「水密性の確保」とは、第２のパッキン２５の介設によりねじ込み式管継手１０からの漏水がほとんど起こらない程度に水密性が高められていることを意味している。ｗ２は、圧縮前の第２のパッキン２５の厚みを示し、Δｗ２は、蛇口１の取り付けにより圧縮された厚みを示している。つまり、（ｗ２−Δｗ２）は、圧縮された第２のパッキン２５の厚みであり、水密性の確保に必要とされる厚みである。
【００４２】
図３＜ｂ＞に示したように、蛇口１の取り付けにともなって第１のガイド片３２の側周端がねじ込み式管継手１０の締付部１４に当接する。このとき、第１のパッキン２４は、第１のガイド片３２、ワッシャ本体３１および締付部１４により取り囲まれる第１の領域２６内で圧縮され、必要とされる水密性が付与される。しかも、圧縮にともない外側に膨出しようとする第１のパッキン２４は、第１のガイド片３２によって移動が規制され、第１の領域２６の外側にはみ出ることはない。また、第２のガイド片３３は、フランジ６の外側に配置され、少なくとも部分的にフランジ６と重なり合う。このため、第２のパッキン２５は、第２のガイド片３３、ワッシャ本体３１およびフランジ６により取り囲まれる第２の領域２７内で圧縮され、必要とされる水密性が確保される。第２のパッキン２５も圧縮にともない外側に膨出しようとするが、第２のパッキン２５の移動は、第２のガイド片３３によって規制される。したがって、第２のパッキン２５も第２の領域２７の外側にはみ出ることはない。
【００４３】
そして、この状態では、第１のガイド片３２の側周端がねじ込み式管継手１０の締付部１４に当接しているので、蛇口１をさらにねじ込むことはできない。
【００４４】
このように、本実施形態では、蛇口１における接続継手３の外周面の雄ねじ７をねじ込み式管継手１０における接続部１１の内周面の雌ねじ１２に螺合させることにより、第１のパッキン２４、第２のパッキン２５は、それぞれ、水密性の付与、水密性の確保に適した分だけ圧縮され、フランジ６の外側にはみ出ることはなく、水密性の低下をきたすことなく付与され、また、確保される。しかも、そのための蛇口１の取り付けは、人の感覚に頼ることはなく、第１のパッキン２４の側周端がねじ込み式管継手１０の締付部１４に当接し、締付け不能となることによって、熟練を要さずに確実かつ容易に一定の精度で行うことができる。さらに、このような水密性の付与および確保は、第１のガイド片３２および第２のガイド片３３を備えたワッシャ３０によって実現され、コストアップが十分抑制される。雨水貯留タンク４６などの屋外に設置される給水装置などの価格高騰を抑えることができる。
【００４５】
そして、第１のパッキン２４は第１の領域２６内に、また、第２のパッキン２５は第２の領域２７内に収められるので、雨水貯留タンク４６は屋外に設置されるものであっても、第１のパッキン２４および第２のパッキン２５は、ともに直射日光、降雨、寒暖の差などの環境の変化を被ることはほとんどない。第１のパッキン２４および第２のパッキン２５の経時的な劣化が十分抑制され、水密性の低下が抑えられる。
【００４６】
蛇口１の取り外しは、上記とは逆の作業を行えばよく、容易に蛇口１を取り外すことができる。
【００４７】
また、蛇口１がねじ込み式管継手１０に取り付けられると、ねじ込み式管継手１０の締付部１４がワッシャ３０のカバー部３４で覆われるので、締付部１４が保護されるとともに意匠性が高められ、良好な外観が実現される。さらにこのカバー部３４は、第１のガイド片３２と第２のガイド片３３の外側に配置されて第１のパッキン２４および第２のパッキン２５の周囲を覆うため、第１のガイド片３２と第２のガイド片３３による効果と相俟って、直射日光、降雨、寒暖の差などの環境の変化による第１のパッキン２４および第２のパッキン２５の経時的な劣化が効果的に抑制される。
【００４８】
なお、以上の実施形態では、ワッシャ３０のカバー部３４が第２のガイド片３３の外周面の前側端部から外方に延設されているが、これに限定されるものでなく、第１のガイド片３２や第２のガイド片３３の外周面から延設されたものであればよい。例えば、図４に示す別の実施形態のワッシャでは、カバー部３４が第１のガイド片３２の外周面の後側端部から外方に延設されている。図１−３に示すワッシャ３０のカバー部３４は拡径筒部３５と円筒部３６とから構成されているが、図４に示すワッシャ３０のカバー部３４は、拡径筒部３５の代わりに、第１のガイド片３２の外周面の後側端部から略垂直に外側に起立してリング状に形成される平板状の蓋部３７を備えている。その蓋部３７の外周縁から後方に向かって外径寸法が略一定の円筒部３６が延設されている。このような構成のものであっても、締付部がカバー部３４で覆われる。そして第１のガイド片３２による効果と相俟って、直射日光、降雨、寒暖の差などの環境の変化による第１のパッキンの経時的な劣化が効果的に抑制される。
【００４９】
また、本発明の蛇口の止水構造は、図５に示した雨水利用システム４１における雨水貯留タンク４６の蛇口４７に対してのみ有効とされるのではなく、屋外に設置される各種の給水装置などの蛇口に広く適用可能である。また、蛇口の構成および構造については特に限定されることはなく、蛇口本体を給水装置などの取付け側の部分に接続継手を以って取り付けることができる限り、本発明の蛇口の止水構造は適用可能であり、十分有効である。
【符号の説明】
【００５０】
１  蛇口
２  蛇口本体
３  接続継手
６  フランジ
７  雄ねじ
１０  ねじ込み式管継手
１１  接続部
１２  雌ねじ
１３  雄ねじ
１４  締付部
１５  蛇口接続側端面
１７  側面
２４  第１のパッキン
２５  第２のパッキン
２６  第１の領域
２７  第２の領域
３０  ワッシャ
３１  ワッシャ本体
３２  第１のガイド片
３３  第２のガイド片
３４  カバー部
【図１】
2011026897.tif 000003
【図２】
2011026897.tif 000004
【図３】
2011026897.tif 000005
【図４】
2011026897.tif 000006
【図５】
2011026897.tif 000007
【図６】
2011026897.tif 000008